(57)【要約】【目的】健康上極めて優れた効果のあるマイナスイオンを発生する粘土で、手で作品を創作することによって手の皮膚及び気道からマイナスイオンを体内に吸収させ、活性酸素を還元中和させ、病気を予防することのできる健康粘土を提供することである。【解決手段】マイナスイオンを発生する天然砕石粉を主成分とし、これに繊維粉と糊剤及び水を主構成材としてなるものである。【選択図】　なし【特許請求の範囲】
【請求項１】
マイナスイオンを発生する天然砕石紛を主成分とし、これに繊維粉と糊剤及び水を主構成材としてなることを特徴とする健康粘土。
【発明の詳細な説明】
【０００１】
【発明の属する技術分野】
本発明は手工芸用等に使用される健康粘土で、健康に極めて優れた効果があると言われているマイナスイオンを発生する天然砕石粉を主成分に使用した健康粘土に関するものである。
【０００２】
【従来の技術】
従来の手工芸用等に使用される粘土には、積極的に健康に留意を払った製品はなかった。健康に関する既往の粘土技術としては、粘土による作品が主に手によって作製する為、手がかぶれないこと、手に付いた粘土を嘗めてしまった場合でも危険でないこと、幼児が粘土を口に入れ飲み込んでも危険でないこと等に関する程度あり、健康に優れた効果のあるマイナスイオンを発生することのできる粘土などは全く存在していなかった。
【０００３】
【発明が解決しようとする課題】
本発明は、健康上極めて優れた効果のあるマイナスイオンを発生する粘土で、手で作品を創作することによって、手の皮膚及び気道からマイナスイオンを体内に吸収させ、活性酸素を還元中和させ、病気を予防することのできる健康粘土を提供することである。
【０００４】
【課題を解決するための手段】
本発明は、マイナスイオンを発生する天然砕石粉を主成分とし、これに繊維粉と糊剤及び水を主構成材としてなるものである。上記主構成材の他に収縮防止用充填材、顔料、体質顔料、界面活性剤、防腐剤等を添加配合してもよい。
【０００５】
【発明の実施の形態】
本発明に使用するマイナスイオンを発生する天然砕石粉は、常にマイナスイオンを発生している天然の岩石、或いは常にマイナスイオンを発生している天然の砂等を粉砕して粉末状にしたものである。
【０００６】
マイナスイオンとは、マイナスの電気を帯びた酸素と空気中の微細な水が結合したもので、例えば、滝の水が岩などに落ちる衝撃で微細な水滴が飛び散り水の分子から電子が飛び出し、水滴はプラスにその周りの空気はマイナスに帯電する。滝周辺にはマイナスイオンの多い環境が造り出され、滝周辺のマイナスイオンは、３，０００〜１２，０００（個／ｃｃ）、又近くの森林では１，５００〜２，８００（個／ｃｃ）、公園の噴水では２，０００〜２，５００（個／ｃｃ）、一般家庭では０〜１００（個／ｃｃ）と言われている。
【０００７】
自然界には天然の岩石や天然の砂から常にマイナスイオンを発生しているものがある。これは遠赤外線を発生する特性を持っている天然鉱物、或いは微弱な放射線を発生する特性を持っている天然鉱物があり、これらの遠赤外線或いは微弱な放射線が空気中の水分子に当たって細かいマイナスイオンの粒と大きなプラスイオンの分子に分けられ、マイナスイオンが作られるので半永久的に効果が得られるのである。
【０００８】
マイナスイオンの環境に対する主要な効能としては次の様なことが挙げられる。化学的有害物質、例えば建築内装仕上げ材などから放出されるホルムアルデヒドや、電気的原因例えば電磁波による空気の汚染、放射線物質などによる空気の汚染等に対して空気を浄化する。このほか煙草の煙や煙草の不快な匂いを分解して浄化したり黴の発生を防止、匂いを除去する効能がある。
【０００９】
人間は、人体に触れたマイナスイオンを、皮膚の表面から人体組織自体が発生している微弱電気によってマイナスイオンを吸収したり、呼吸によって気道から空気中のマイナスイオンを吸入する。体内に取り入れられたマイナスイオンは、毛細血管や粘膜によって活性酸素を還元中和して、人体の酸化を抑制し細胞の活性化を図ることができる。
【００１０】
マイナスイオンを発生する天然岩石粉の粒子径は、３００μｍ以下の範囲とするが、より好適なのは１００μｍ以下である。この粒子径の範囲とするのは、粘土の物性として必要条件である手への付着性、粘土の伸展性、表面の平滑性、保形性、着色性等について性能を確保するためである。
【００１１】
本発明に使用する繊維粉は、粘土成形後におけるひび割れを防止するもので、天然パルプ粉、天然シートパルプ、合成繊維等が使用できる。繊維粉の繊維長は０．５〜５．５ｍｍの範囲で特に１．０〜３．０ｍｍの繊維長が好適である。繊維粉の配合量はマイナスイオンを発生する天然砕石粉１００重量部に対して５〜５０重量部が好ましい、５重量部以下では粘土成形後にひび割れを起こす恐れがあり、５０重量部を超えると健康粘土の平滑性が無くなり造形性が損なわれる。
【００１２】
本発明に使用する糊剤は、カルボキシルメチルセルローズ、ポリビニルアルコール、変性ポリビニルアルコール、α澱粉、ポリエチレンオキサイド、ポリアクリル酸ソーダ、ポバール、ヒドロキシメチルセルローズ等で、糊剤の配合量はマイナスイオンを発生する天然砕石粉１００重量部に対して１〜１０重量部が望ましい。１重量部以下では健康粘土同士のまとまりがなく造形性が悪くなり、１０重量部を超えるとやはり造形性が損なわれる。
【００１３】
本発明になる健康粘土に添加配合する水の量は、マイナスイオンを発生する天然砕石粉１００重量部に対して５０〜１２０重量部が望ましく、特に６０〜１００重量部が好適である。２５重量部以下では健康粘土が固くなり造形性が損なわれる恐れがあり、１２０重量部を超えると手にべとつきが出て保形性がなくなり造形性が損なわれる。
【００１４】
本発明に使用する収縮防止用充填剤は、健康粘土造形時における収縮を防止し粘土の油分を吸収するもので、例えばタルク、炭酸カルシウム、クレー、ステアリン酸カルシウム、シリカ粉末、澱粉質粉末等が挙げられる。収縮防止用充填剤の配合量は、マイナスイオンを発生する天然砕石粉１００重量部に対して１〜１００重量部が好適である。
【００１５】
本発明においては、必要に応じて顔料又は顔料と体質顔料を加えて、健康粘土に着色しあるいは可塑性を調節することが出来る。顔料としてはセルリアン青、群青、紺青、酸化チタン、ベンガラ、黄鉛、黄色酸化鉄、カーボンブラック等が例示出来る。体質顔料としては、シリカ、アルミナ等の通常の体質顔料の他、脂肪酸のマグネシウム塩、カルシウム塩等の金属石鹸あるい粉末硫黄等が例示出来る。
【００１６】
【実施例】
本発明の実施例について詳述する。
【００１７】
実施例１　本実施例に使用するマイナスイオンを発生する天然砕石粉のマイナスイオン発生量の測定を行なった。容器に粒子径１００μｍ以下のマイナスイオンを発生する天然砕石粉を２Ｋｇ敷き、マイナスイオン測定器（エコフラボン・ＫＥＣ−８００）で乾燥状態及び湿潤状態におけるマイナスイオンについて、乾燥状態をまず測定し次いで水道水を２Ｋｇ加え、均一に攪拌混合して湿潤状態とし、各々１分間隔で１５分測定した。
【００１８】
マイナスイオンを発生する天然砕石粉のマイナスイオンの発生量は、乾燥状態で８２０〜２０５０（個／ｃｃ）、湿潤状態では３４００〜４０００（個／ｃｃ）であった。
【００１９】
粒子径１００μｍ以下のマイナスイオンを発生する天然砕石粉を１００重量部に、水で解砕したシートパルプ［日本製紙株式会社製『ＮＳＰ−Ｐ』］固形分換算１００重量部、メチルセルローズ［信越化学工業株式会社製『メトローズＳＭ』］４０００ＣＰＳ及びポリビニールアルコール［株式会社クラレ製『ポバール２１７』］を合わせて４重量部、水８０重量部、その他界面活性剤、防腐剤等５重量部を容器に投入し、撹拌機で約３０分混練りして健康粘土を作製した。
【００２０】
本健康粘土の物性として、手への付着性、粘土の伸展性、表面の平滑性、保形性、着色性等は極めて良好であり、健康粘土から発生するマイナスイオンの量は測定の結果、マイナスイオンを発生する天然砕石粉の湿潤状態の場合とほぼ同じであった。
【００２１】
実施例２　マイナスイオンを発生する天然砕石粉を８０重量部として、タルクを２０重量部加えた。他の配合は実施例１と同様として健康粘土を作製した。実施例２の健康粘土もその物性及び発生するマイナスイオンの量、共に測定の結果同じであった。
【００２２】
【発明の効果】
以上の如く本発明に成る健康粘土は、手への付着性、粘土の伸展性、表面の平滑性、保形性、着色性等いずれも極めて優れた特性を示しており、マイナスイオンの発生量は、マイナスイオンの発生する天然砕石粉と同じ程度で非常に高く、健康粘土を使用して手を使って造形物を作製することによって、手の皮膚及び気道を通じてマイナスイオンが体内に吸収され、活性酸素を還元中和して生体の酸化を抑制し、細胞を活性化を推進することによって、健康上極めて優れた効果を示すことができた。